(57)【要約】【課題】フレーム全体に予備発光の光が寄与しない状態において、主被写体を適正な明るさとする、ＣＭＯＳセンサを用いた簡易な構成の撮像装置を提供する。【解決手段】撮像装置は、ローリングシャッタ方式の撮像素子と、予備発光手段と、予備発光測光手段と、測光領域決定手段とを有する。予備発光測光手段は、予備発光時の露光量を測光する。測光領域決定手段は、モニタリング中の撮像画像に基づいて予備発光測光手段で測光する測光領域を決定する。予備発光手段を実行する際、撮像素子の露光フレームのシャッター速度がストロボ同調速度よりも速く、かつ、測光領域決定手段によって決定された測光領域に予備発光が寄与しない場合、予備発光時の露光フレームのシャッター速度を遅くし、さらに、シャッター速度を遅くする段数分に相当する絞りを絞って予備発光をする。これにより、測光領域に予備発光が照射される。【選択図】図２
2014127770.tif 000002
【特許請求の範囲】
【請求項１】
被写体を照射するストロボを制御する機能を有する撮像装置であって、
ローリングシャッタ方式の撮像素子と、
ストロボ発光を伴う静止画撮影の直前に前記ストロボ発光の発光量を決めるためモニタリング中にストロボを発光させる予備発光手段と、
前記予備発光時の撮像素子の露光量を測光する予備発光測光手段と、
モニタリング中の撮像画像に基づいて前記予備発光測光手段で測光する測光領域を決定する測光領域決定手段とを有し、
前記予備発光手段を実行する際、前記撮像素子の露光フレームのシャッター速度がストロボ同調速度よりも速く、
かつ、前記測光領域決定手段によって決定された測光領域に予備発光が寄与しない場合は、前記測光領域に予備発光が寄与するように予備発光時の露光フレームのシャッター速度を遅くし、
かつ、シャッター速度を遅くする段数分に相当する絞りを絞って予備発光をする事を特徴とする撮像装置。
【請求項２】
モニタリング中の撮像画像に基づいて主要被写体を検出する主要被写体検出手段を有し、前記測光領域決定手段は、前記主要被写体検出手段によって検出された主要被写体の位置に基づいて測光領域を決定することを特徴とする請求項１に記載の撮像装置。
【請求項３】
前記主要被写体検出手段は人物の顔を検出する顔検出手段であることを特徴とする請求項２に記載の撮像装置。
【請求項４】
前記主要被写体検出手段はユーザーの指定した被写体を追尾して主要被写体の位置を検出し続ける被写体追尾手段とする請求項２に記載の撮像装置。
【発明の詳細な説明】
【技術分野】
【０００１】
本発明は、撮像装置に関し、より詳しくは、予備発光によって静止画撮像時のストロボ発光量を事前に定める撮像装置に関する。
【背景技術】
【０００２】
従来より、カメラ等の撮像装置において、外光だけで撮影を行うと主被写体が露光不足となる場合に、露光量を補うために補助光を発光して撮影するストロボ撮影を行うことがある。このとき、主被写体が露光不足となる場合としては単純に暗い環境下での撮影の場合や、明るい環境下であっても、例えば逆光などの状態で、背景は明るいのに主被写体だけが露光不足となるような場合がある。
【０００３】
後者のように背景は明るいのに主被写体だけが露光不足となるような場合は、通常は背景を適正な明るさとするために露光時間は短くし、その上で主被写体も適正な明るさとするためにストロボを発光して撮影する。このとき、いわゆるコンパクトタイプのカメラでは撮影前にあらかじめ予備発光をして発光量の過不足を検出し、撮影時の本発光量を決定する予備発光方式が一般的である。
【０００４】
一方で、撮像装置に使用される撮像素子には、ＣＭＯＳセンサのように、モニタリングはラインごとに順次露光・読み出しをするためにフレーム内で露光タイミングがずれてしまう読み出しモードで動作するセンサを使用しているものがある。このようなセンサでは、予備発光時に露光時間があるところよりも短くなると、どのタイミングでストロボを発光させても、フレーム内の全てのラインにストロボ光を寄与させることができなくなる。
【０００５】
この場合、正しい輝度分布を得ることができなくなるため、適正な発光量を得るのは困難となる。このため、特許文献１では、予備発光時に複数回のストロボ発光をすることで、フレーム全面に均等にストロボ光を寄与させる方法が提案されている。
【先行技術文献】
【特許文献】
【０００６】
【特許文献１】特開２００９−５５２８７号公報
【発明の概要】
【発明が解決しようとする課題】
【０００７】
しかし、特許文献１の手法により、ソフト制御で複数回のストロボ発光を実施してフレーム全面に均等にストロボ光を当てることは発光量・発光タイミングの制御がシビアで困難であり、また、ハード的にＦＰ発光を実現するにはコストがかかってしまう。
【０００８】
そこで、本発明は、簡易な構成によって、フレーム全体に予備発光の光が寄与しない状態において、主被写体を適正な明るさとすることが可能なＣＭＯＳセンサを備える撮像装置を提供することを目的とする。
【課題を解決するための手段】
【０００９】
本発明に係る撮像装置は、被写体を照射するストロボを制御する機能を有する撮像装置であって、ローリングシャッタ方式の撮像素子と、ストロボ発光を伴う静止画撮影の直前にストロボ発光の発光量を決めるためモニタリング中にストロボを発光させる予備発光手段と、予備発光時の撮像素子の露光量を測光する予備発光測光手段と、モニタリング中の撮像画像に基づいて予備発光測光手段で測光する測光領域を決定する測光領域決定手段とを有し、予備発光手段を実行する際、撮像素子の露光フレームのシャッター速度がストロボ同調速度よりも速く、かつ、測光領域決定手段によって決定された測光領域に予備発光が寄与しない場合は、測光領域に予備発光が寄与するように予備発光時の露光フレームのシャッター速度を遅くし、かつ、シャッター速度を遅くする段数分に相当する絞りを絞って予備発光をする事を特徴とする。
【００１０】
また、モニタリング中の撮像画像に基づいて主要被写体を検出する主要被写体検出手段を有し、測光領域決定手段は、主要被写体検出手段によって検出された主要被写体の位置に基づいて測光領域を決定することが好ましい。
【００１１】
さらに、主要被写体検出手段は人物の顔を検出する顔検出手段であっても良い。
【００１２】
また、主要被写体検出手段はユーザーの指定した被写体を追尾して主要被写体の位置を検出し続ける被写体追尾手段であっても良い。
【発明の効果】
【００１３】
本発明によれば、簡易な構成によって、フレーム全体に予備発光の光が寄与しない状態において、主被写体を適正な明るさとすることが可能なＣＭＯＳセンサを備える撮像装置を提供することが可能となる。
【図面の簡単な説明】
【００１４】
【図１】本発明の第１の実施形態に係るデジタルカメラの（ａ）正面図であり、（ｂ）上面図であり、（ｃ）背面図である。
【図２】図１のデジタルカメラのシステム構成を表すブロック図である。
【図３】図２の信号処理部の構成を表すブロック図である。
【図４】本発明の第１の実施形態に係る発光寄与領域と露光時間と発光時間との関係を表すグラフである。
【図５】本発明の第１の実施形態に係る発光タイミングを設定するフロー図である。
【図６】本発明の第１の実施形態に係る発光寄与領域と露光時間と発光時間との関係を表すグラフである。
【図７】本発明の第２の実施形態に係る発光タイミングを設定するフロー図である。
【発明を実施するための形態】
【００１５】
以下、本発明を図示の実施形態に基づいて説明する。
〈実施形態１〉
（デジタルカメラの外観構成）
図１（ａ）、（ｂ）、（ｃ）に示すように、本実施形態に係るデジタルカメラ１の上面側には、レリーズボタン（シャッタボタン）２、電源ボタン３、撮影・再生切替ダイアル４が設けられており、デジタルカメラ１の正面（前面）側には、撮影レンズ系５を有する鏡胴ユニット６、フラッシュであるストロボ発光部７、光学ファインダ８が設けられている。
【００１６】
デジタルカメラ１の背面側には、液晶モニタ（ＬＣＤ）９、光学ファインダ８の接眼レンズ部８ａ、広角側ズーム（Ｗ）スイッチ１０、望遠側ズーム（Ｔ）スイッチ１１、メニュー（ＭＥＮＵ）ボタン１２、確定ボタン（ＯＫボタン）１３等が設けられている。また、デジタルカメラ１の側面内部には、撮影した画像データを保存するためのメモリカード３２（図２参照）を収納するメモリカード収納部１５が設けられている。
【００１７】
（デジタルカメラのシステム構成）
図２に示すように、このデジタルカメラ１は、鏡胴ユニットの撮影レンズ系５、絞りユニット・メカシャッタユニット２２を通して入射される被写体画像が受光面上に結像する固体撮像素子としてのＣＭＯＳ２３、ＣＭＯＳから出力される電気信号（デジタルＲＧＢ画像信号）を処理する信号処理部２７、鏡胴ユニットを駆動するモータドライバ２８、カメラ全体を制御するＣＰＵ２９、データを一時的に格納するＳＤＲＡＭ４２、カメラ外部との通信ドライバ３１、カメラと着脱可能なメモリカード３２、信号処理部からの映像出力信号をＬＣＤ表示可能な信号に変換する表示コントローラおよび実際にそれを表示するＬＣＤからなる表示部３３、カメラユーザが操作可能な操作部３４、制御部から発光開始・停止を制御できるストロボ発光部７、ストロボ発光用のメインコンデンサ３６、等を有している。
【００１８】
鏡胴ユニット６は、ズームレンズやフォーカスレンズ等を有する撮影レンズ系５、絞りユニット・メカシャッタユニット２２を備えており、撮影レンズ系５、絞りユニット・メカシャッタユニット２２の各駆動ユニットは、モータドライバ２８によって駆動される。モータドライバ２８は、信号処理部の制御部であるＣＰＵ２９からの駆動信号により駆動制御される。
【００１９】
ＣＭＯＳ２３は、２次元に配列した受光素子で結像した光学像を電荷に変換し、隣接する駆動部２６から送信される読出し信号タイミングで外部に電気信号として出力する。ＣＭＯＳを構成する複数の画素上にＲＧＢ原色フィルタ（以下、「ＲＧＢフィルタ」という）が配置されており、ＲＧＢ３原色に対応した電気信号（デジタルＲＧＢ画像信号）が出力される。
【００２０】
図３を参照すると、信号処理部２７は、ＣＭＯＳから出力されるＲＡＷ−ＲＧＢデータを取り込むＣＭＯＳインターフェース４０（以下、「ＣＭＯＳＩ／Ｆ」という）と、ＳＤＲＡＭ４２を制御するメモリコントローラ４４と、取り込んだＲＡＷ−ＲＧＢデータを表示や記録が可能なＹＵＶ形式の画像データに変換するＹＵＶ変換部４６と、表示や記録される画像データのサイズに合わせて画像サイズを変更するリサイズ処理部４８と、画像データの表示出力を制御する表示出力制御部５０と、画像データをＪＰＥＧ形成などで記録するためのデータ圧縮部５２と、画像データをメモリカードへ書き込み、又はメモリカードに書き込まれた画像データを読み出すメディアインターフェース５４（以下、「メディアＩ／Ｆ」という）と、操作部３４からの操作入力情報に基づき、ＲＯＭ５６に記憶された制御プログラム５８に基づいてデジタルカメラ１全体のシステム制御等を行う制御部であるＣＰＵ２９を備えている。
【００２１】
ＳＤＲＡＭ４２には、ＣＭＯＳＩ／Ｆ４０に取り込まれたＲＡＷ−ＲＧＢデータが保存されると共に、ＹＵＶ変換部４６で変換処理されたＹＵＶデータ（ＹＵＶ形式の画像データ）が保存され、更に、データ圧縮部５２で圧縮処理されたＪＰＥＧ形成などの画像データ等が保存される。なお、ＹＵＶデータのＹＵＶとは、輝度データ（Ｙ）と、色差（輝度データと青色（Ｂ）データの差分（Ｕ）と、輝度データと赤色（Ｒ）の差分（Ｖ））の情報で色を表現する形式である。
【００２２】
また、操作部３４は、デジタルカメラ１（図１（ａ）、（ｂ）、（ｃ）参照）の外観表面に設けられているレリーズボタン２、電源ボタン３、撮影・再生切替ダイアル４、広角側ズームスイッチ１０、望遠側ズームスイッチ１１、メニューボタン１２、確定ボタン１３等であり、撮影者の操作によって所定の動作指示信号がＣＰＵ２９に入力される。
【００２３】
（デジタルカメラのモニタリング動作、静止画撮影動作）
次に、図１〜２を参照し、上記デジタルカメラ１のモニタリング動作と静止画撮影動作について説明する。このデジタルカメラ１は、静止画撮影モード時には、以下に説明するようなモニタリング動作を実行しながら静止画撮影動作が行われる。
【００２４】
先ず、撮影者が電源ボタン３をＯＮし、撮影・再生切替ダイアル４を撮影モードに設定することで、デジタルカメラ１が撮影モードで起動する。電源ボタン３がＯＮされて、撮影・再生切替ダイアル４が撮影モードに設定されたことをＣＰＵ２９が検知すると、ＣＰＵ２９はモータドライバ２８に制御信号を出力して、鏡胴ユニット６を撮影可能な位置に移動させ、かつ、ＣＭＯＳ２３、信号処理部２７、ＳＤＲＡＭ４２（図３参照）、ＲＯＭ５６、液晶モニタ９等を起動させる。
【００２５】
そして、鏡胴ユニット６の撮影レンズ系５を被写体に向けることにより、撮影レンズ系５を通して入射される被写体画像がＣＭＯＳ２３の各画素の受光面上に結像する。そして、ＣＭＯＳ２３の受光素子から出力される被写体画像に応じた電気信号（アナログＲＧＢ画像信号）は、ＣＤＳ／ＰＧＡ２４を介してＡ／Ｄ変換部（ＡＤＣ）２５に入力され、Ａ／Ｄ変換部２５により１２ビット（ｂｉｔ）のＲＡＷ−ＲＧＢデータに変換する。
【００２６】
図３を参照すると、このＲＡＷ−ＲＧＢデータは、信号処理部２７のＣＭＯＳＩ／Ｆ４０に取り込まれてメモリコントローラを介してＳＤＲＡＭ４２に保存される。そして、ＳＤＲＡＭ４２から読み出されたＲＡＷ−ＲＧＢデータは、後述するように、ブロックごとに分割されたゲインをかける等、必要な画像処理をかけられた後、ＹＵＶ変換部４６で表示可能な形式であるＹＵＶデータ（ＹＵＶ信号）に変換された後に、メモリコントローラ４４を介してＳＤＲＡＭ４２にＹＵＶデータが保存される。
【００２７】
そして、ＳＤＲＡＭ４２からメモリコントローラ４４を介して読み出したＹＵＶデータは、表示出力制御部５０を介して表示部３３へ送られ、撮影画像（動画）が表示される。上述した表示部３３に撮影画像を表示しているモニタリング時においては、ＣＭＯＳＩ／Ｆ４０による画素数の間引き処理により１／３０秒の時間で１フレームを読み出している。
【００２８】
なお、このモニタリング動作時は、電子ファインダとして機能する表示部３３に撮影画像が表示されているだけで、まだレリーズボタン２が押圧（半押も含む）操作されていない状態である。
【００２９】
この撮影画像の表示部３３への表示によって、撮影画像を撮影者が確認することができる。また、図示しないが、表示出力制御部５０からＴＶビデオ信号として出力して、ビデオケーブルを介して外部のＴＶ（テレビ）に撮影画像（動画）を表示することもできる。
【００３０】
一方、以下に詳述するように、信号処理部のＣＭＯＳＩ／Ｆ４０によって取り込まれたＲＡＷ−ＲＧＢデータから、ＡＦ（自動合焦）評価値、ＡＥ（自動露出）評価値、ＡＷＢ（オートホワイトバランス）評価値が算出される。
【００３１】
ＡＦ評価値は、例えば高周波成分抽出フィルタの出力積分値や、近接画素の輝度差の積分値によって算出される。合焦状態にあるときは、被写体のエッジ部分がはっきりとしているため、高周波成分が一番高くなる。これを利用して、ＡＦ動作時（合焦検出動作時）には、撮影レンズ系内の各フォーカスレンズ位置におけるＡＦ評価値を取得して、その極大になる点を合焦検出位置としてＡＦ動作が実行される。
【００３２】
ＡＥ評価値とＡＷＢ評価値は、ＲＡＷ−ＲＧＢデータにおけるＲＧＢ値のそれぞれの積分値から算出される。例えば、ＣＭＯＳ２３の全画素の受光面に対応した画面を２５６エリアに等分割（水平１６分割、垂直１６分割）し、それぞれのエリアのＲＧＢ積算を算出する。
【００３３】
そして、ＣＰＵ２９は、算出されたＲＧＢ積算値を読み出す。すなわち、ＣＭＯＳＩ／Ｆ４０からＲＡＷ−ＲＧＢデータが検波部６０へ送信され、ＡＥ／ＡＷＢ検波部６２において、ＲＧＢ積算値データが作成される。ＲＧＢデータは、メモリコントローラ４４を介してＳＤＲＡＭ４２へ送信される。ＣＰＵ２９は、ＳＤＲＡＭ４２からＲＧＢ積算データを読み出す。
【００３４】
ＡＥ処理では、画面のそれぞれのエリアの輝度を算出して、輝度分布から適正な露光量が決定される。決定した露光量に基づいて、露光条件（ＣＭＯＳの電子シャッタ回数、絞りユニットの絞り値等）が設定される。また、ＡＷＢ処理では、ＲＧＢの分布から被写体の光源の色に合わせたＡＷＢの制御値が決定される。このＡＷＢ処理により、ＹＵＶ変換部でＹＵＶデータに変換処理するときのホワイトバランスが調整される。なお、上述のＡＥ処理とＡＷＢ処理は、モニタリング時には連続的に行われている。
【００３５】
そして、上述したモニタリング動作時に、レリーズボタン２が押圧（半押しから全押し）操作されて静止画撮影動作が開始されると、合焦位置検出動作であるＡＦ動作と静止画記録処理が行われる。
【００３６】
即ち、レリーズボタン２が押圧（半押しから全押し）操作されると、ＣＰＵ２９からモータドライバへの駆動指令により撮影レンズ系５のフォーカスレンズが移動し、例えば、いわゆる山登りＡＦと称されるコントラスト評価方式のＡＦ動作が実行される。
【００３７】
ＡＦ（合焦）対象範囲が無限から至近までの全領域であった場合、撮影レンズ系５のフォーカスレンズは、至近から無限、又は無限から至近までの間の各フォーカス位置に移動し、ＣＭＯＳＩ／Ｆ４０で算出されている各フォーカス位置におけるＡＦ評価値をＣＰＵ２９が読み出す。すなわち、ＲＡＷ−ＲＧＢデータがＣＭＯＳＩ／Ｆ４０から検波部６０へ送信され、ＡＦ検波部６４でＡＦ評価値データが作成される。作成されたＡＦ評価値データは、メモリコントローラ４４を介してＳＤＲＡＭ４２へ送信される。ＣＰＵ２９は、メモリコントローラ４４を介してＳＤＲＡＭ４２からＡＦ評価値データを読み出す。そして、各フォーカス位置のＡＦ評価値が極大になる点を合焦位置としてフォーカスレンズを合焦位置に移動させ、合焦させる。
【００３８】
そして、上述のＡＥ処理が行われ、露光完了時点で、ＣＰＵ２９からモータドライバ２８への駆動指令によりメカシャッタユニット２２が閉じられ、ＣＭＯＳ２３の受光素子から静止画用のアナログＲＧＢ画像信号が出力される。そして、上述のモニタリング時と同様に、Ａ／Ｄ変換部２５によりＲＡＷ−ＲＧＢデータに変換される。
【００３９】
そして、このＲＡＷ−ＲＧＢデータは、信号処理部２７のＣＭＯＳＩ／Ｆ４０に取り込まれ、ＹＵＶ変換部４６でＹＵＶデータに変換されて、メモリコントローラ４４を介してＳＤＲＡＭ４２に保存される。そして、このＹＵＶデータはＳＤＲＡＭ４２から読み出されて、リサイズ処理部４８で記録画素数に対応するサイズに変換され、データ圧縮部５２でＪＰＥＧ形式等の画像データへと圧縮される。圧縮されたＪＰＥＧ形式等の画像データは、ＳＤＲＡＭ４２に書き戻された後にメモリコントローラ４４を介してＳＤＲＡＭ４２から読み出され、メディアＩ／Ｆ５４を介してメモリカード３２に保存される。
【００４０】
（予備発光による本発光量算出）
予備発光方式によるストロボの本発光量算出手段について説明する。
ユーザーから撮影操作が入力されると、ＣＰＵ２９はＣＭＯＳ２３の駆動モードを予備発光用の駆動モードに変更する。そして、ＣＰＵ２９は、ＣＭＯＳ２３の露光タイミングに合わせてストロボ発光部７（図１参照）に発光信号を送り、ストロボを発光させる。ストロボを発光したときのフレームがＣＭＯＳ２３から取り込まれると、信号処理部２７はそのフレームの輝度情報を、格子状のブロックごとに算出する。
【００４１】
ここで、予め決められた、あるいは、予備発光時の輝度情報の輝度分布に基づいて決定される測光領域の輝度平均を算出する。ＣＰＵ２９は、算出された輝度平均の目標輝度に対しての差分を算出し、目標輝度に対しての差分、予備発光量、予備発光時の露出制御値、本発光時の露出制御値に基づいて本発光量を算出する。
【００４２】
ここで、ＣＭＯＳのようにラインごとに露光タイミングがずれる、ローリングシャッタで予備発光を実施する場合、図４（ａ）に示すように、露光時間が十分に長い場合には全てのラインが露光中となる期間が存在し、ストロボ光がフレームの全面に寄与することができるが、図４（ｂ）に示すように、露光時間が短い場合には全てのラインが露光中となる期間が存在しなくなるため、ストロボを発光してもストロボ光がフレームの一部分にしか寄与しなくなってしまう。
【００４３】
なお、撮影時の本発光においては、ローリングシャッタではなく、メカニカルシャッターを併用した一括リセット方式の電子シャッター方式となるため、露光中にストロボ発光を実施すれば必ずフレーム全面にストロボ光が寄与することになる。
【００４４】
（フローの説明）
図５で顔検出結果に基づいて測光領域を決定して発光タイミングを設定するフローについて説明する。
【００４５】
ユーザーがカメラに対して撮影操作を実行すると、カメラは撮影操作を検出し（Ｓ５０１−Ｙｅｓ）、ＡＥ処理を実行して撮影時および予備発光時の露光時間を決定する（Ｓ５０２）。ここで、予備発光の露光時間が予備発光時のストロボ同調速度よりも短いかどうかを判定する（Ｓ５０３）。予備発光の露光時間がストロボ同調速度よりも短い場合（Ｓ５０３−Ｙｅｓ）、ＣＰＵ（主要被写体検出手段）（顔検出手段）２９はモニタリング画像内で人物の顔を検出する処理を実行する（Ｓ５０４）。顔が検出できた場合（Ｓ５０５−Ｙｅｓ）、ＣＰＵ（測光領域決定手段）は人物の顔を測光領域として設定し、人物の顔の中心付近に予備発光が寄与するように予備発光時の露光時間を修正する（Ｓ５０６）。
【００４６】
このとき、例えば図６のような撮影状況において、当初の予備発光時露光時間が１／５００秒であった場合（図６（ａ））、人物の顔に対して予備発光の光が十分に当たらないが、人物の顔に十分に光が当たるよう、予備発光時の露光時間を１／２５０秒に修正する（図６（ｂ））。人物の顔に対して予備発光の光が十分に当たるように露光時間を長くすると、長くした分だけ外光の影響を受けやすくなり、測光精度が悪くなってしまう。そこで、予備発光時の露光時間を長くした分だけ絞りを絞る（Ｓ５０７）。
【００４７】
ＣＰＵ（予備発光手段）は決定した露光時間、絞り値で、センサの露光タイミングに合わせて予備発光を実施する（Ｓ５０８）。ＣＰＵ（予備発光測光手段）は信号処理部を通して予備発光での輝度値を取得し、予備発光での輝度値に基づいて本発光量を決定する（Ｓ５０９）。決定された本発光量で本発光を実施し、撮影する（Ｓ５１０）。
【００４８】
以上のようにすることで、ローリングシャッタでの予備発光で、主被写体が画面の端にある場合でも、予備発光で主被写体に最適なストロボ発光量を決定し、適正な明るさで撮影をすることが可能となる。
【００４９】
すなわち、主被写体の検出によりストロボの測光領域を決定し、測光領域の位置に応じて予備発光の発光タイミングを決定することにより、フレーム全体に予備発光の光が照射しない状態において、予備発光時のシャッター速度を遅くすることで測光領域に予備発光が照射するようにし、シャッター速度を遅くする分絞りを絞ることで外光の影響を抑えることで、ＣＭＯＳセンサのカメラで明るい環境下でストロボ撮影をするような場合でも主被写体を適正な明るさとすることが可能となる。
【００５０】
〈実施形態２〉
次に図７を参照し、被写体追尾情報に基づいて測光領域を決定して発光タイミングを設定するフローについて説明する。第１の実施形態との違いは、被写体を追尾する機能が追加されることである。
【００５１】
ＣＰＵ（被写体追尾手段）２９はユーザーによる追尾被写体指示操作があると（Ｓ７０１）、モニタリング画像に対して被写体追尾処理を実施する（Ｓ７０２）。被写体追尾処理は、被写体追尾が成功し続けている間、ユーザーによる解除操作がない限り追尾をし続ける。追尾が失敗した場合は、追尾処理を中止し、再びユーザーによる追尾被写体指示操作が入らない限り追尾処理は実施しない（Ｓ７０３−Ｎｏ）。被写体追尾が継続しているとき（Ｓ７０３−Ｙｅｓ）、ユーザーによる撮影指示があると（Ｓ７０４−Ｙｅｓ）、ＣＰＵはＡＥ処理を実行して撮影時および予備発光時の露光時間を決定する（Ｓ７０５）。
【００５２】
ここで、予備発光の露光時間が予備発光時のストロボ同調速度よりも短いかどうかを判定する（Ｓ７０６）。予備発光の露光時間がストロボ同調速度よりも短い場合（Ｓ７０６−Ｙｅｓ）、ＣＰＵ２９は追尾被写体を測光領域とし、追尾被写体の中心ライン付近に予備発光が寄与するように予備発光時の露光時間を修正する（Ｓ７０７）。そして、追尾被写体に対して予備発光の光が十分に当たるように露光時間を長くした分だけ絞りを絞る（Ｓ７０８）。
【００５３】
ＣＰＵ２９（図３参照）は決定した露光時間、絞り値で、ＣＭＯＳ２３の露光タイミングに合わせて予備発光を実施する（Ｓ７０９）。ＣＰＵ２９は信号処理部２７を通して予備発光での輝度値を取得し、予備発光での輝度値に基づいて本発光量を決定する（Ｓ７１０）。決定された本発光量で本発光を実施し、撮影する（Ｓ７１１）。
【００５４】
以上のようにすることで、主被写体が画面の端にあり、かつ、ローリングシャッターで露光時間が短いような状態でも、予備発光で主被写体に最適なストロボ発光量を決定し、適正な明るさで撮影をすることが可能となる。
【００５５】
すなわち、主被写体の検出によりストロボの測光領域を決定し、測光領域の位置に応じて予備発光の発光タイミングを決定することにより、フレーム全体に予備発光の光が照射しない状態において、予備発光時のシャッター速度を遅くすることで測光領域に予備発光が照射するようにし、シャッター速度を遅くする分絞りを絞ることで外光の影響を抑えることで、ＣＭＯＳセンサのカメラで明るい環境下でストロボ撮影をするような場合でも主被写体を適正な明るさとすることが可能となる。
【符号の説明】
【００５６】
１  デジタルカメラ（撮像装置）
７  ストロボ発光部（ストロボ）
２２  絞り  
２３  ＣＭＯＳ（撮像素子）
２９  ＣＰＵ（予備発光手段、予備発光測光手段、測光領域決定手段、主要被写体検出手段）
【図１】
2014127770.tif 000003
【図２】
2014127770.tif 000004
【図３】
2014127770.tif 000005
【図４】
2014127770.tif 000006
【図５】
2014127770.tif 000007
【図６】
2014127770.tif 000008
【図７】
2014127770.tif 000009